(57)【要約】【課題】不正なコピーを防止し、著作権保護と個人の自由なデータ利用の両方を実現する。【解決手段】映像や音声等の入力データを符号化して記録媒体に記録する記録手段３と、記録手段の記録動作を規制する規制信号を受信して規制制御信号を出力する受信手段１と、記録手段の記録規制動作を解除する規制解除信号を受信して規制解除制御信号を出力する受信手段２とを備え、記録手段３は、規制制御信号が活性化され、且つ規制解除制御信号が活性化されていない場合、入力データを記録媒体へ記録せず、規制制御信号及び規制解除制御信号が活性化されている場合、入力データを暗号化してから符号化して記録媒体へ記録し、規制制御信号が活性化されていない場合、入力データを暗号化せずに符号化して記録媒体へ記録する。【選択図】  図１
2005094196.tif 000002
【特許請求の範囲】
【請求項１】
映像や音声等の入力データを符号化して記録媒体に記録する記録手段と、前記記録手段の記録動作を規制する規制信号を受信して規制制御信号を出力する第１の受信手段と、前記記録手段の記録規制動作を解除する規制解除信号を受信して規制解除制御信号を出力する第２の受信手段とを備え、
前記記録手段は、前記規制制御信号が活性化され、且つ前記規制解除制御信号が活性化されていない場合、前記入力データを前記記録媒体へ記録せず、
前記規制制御信号及び前記規制解除制御信号が活性化されている場合、前記入力データを暗号化してから符号化して前記記録媒体へ記録し、
前記規制制御信号が活性化されていない場合、前記入力データを暗号化せずに符号化して前記記録媒体へ記録する記録装置。
【請求項２】
前記第１の受信手段および前記第２の受信手段を一体化した請求項１記載の記録装置。
【請求項３】
前記第１の受信手段は、前記規制信号を無線で受信して前記規制制御信号を出力する請求項１又は２記載の記録装置。
【請求項４】
前記第２の受信手段は、前記規制解除信号を無線で受信して前記規制解除制御信号を出力する請求項１又は２記載の記録装置。
【請求項５】
前記第２の受信手段は、前記規制解除信号を半導体メモリカードインターフェースを介して受信して前記規制解除制御信号を出力する請求項１から３のいずれか一項記載の記録装置。
【請求項６】
前記記録手段は、前記規制解除信号に挿入される暗号化鍵データを用いて前記入力データを暗号化する暗号化処理手段を備える請求項１から４のいずれか一項記載の記録装置。
【請求項７】
前記記録手段は、半導体メモリカードインターフェースを介して受信した暗号化鍵データを用いて前記入力データを暗号化する暗号化処理手段を備える請求項１から４のいずれか一項記載の記録装置。
【発明の詳細な説明】
【技術分野】
【０００１】
本発明は、著作権保護機能を有する記録装置に関する。
【背景技術】
【０００２】
近年、複製を繰り返してもデータが劣化しないデジタル画像データやデジタル音声データは、著作権の侵害という点において深刻な問題を引き起こしており、著作権保護を目的としたコピーガード機能等のセキュリティ技術が各種実用化されている。一例として、ＳＤメモリカードで採用されているＣＰＲＭ（Content Protection for Recordable Media）がある。
【０００３】
図７は、インターネットを介してパーソナルコンピュータ（以下、パソコンと称する）にダウンロードしたコンテンツデータを記録媒体へ記録する従来の記録動作例を示す図であり、音楽配信を例に従来の著作権保護技術を示してる。インターネットを介してダウンロードしたコンテンツデータは、パソコン７００のメモリ７０１に一時格納される。パソコン７００とパソコン７００に装着された記録媒体としての半導体メモリカード８００は、パソコン７００のソフトウェア７０２及び半導体メモリカード８００が正規であるか否かの相互認証を実行する。相互認証が成功すると、ソフトウェア７０２はコンテンツデータが保持する暗号化情報と半導体メモリカード８００が保持する暗号化情報を用いてコンテンツデータを暗号化して、半導体メモリカード８００に格納する。
【０００４】
次に、半導体メモリカード８００をパソコン７００から脱着し、別の半導体プレーヤ９００に装着して音楽データの再生を行う場合、半導体プレーヤ９００と半導体メモリカード８００は、半導体プレーヤ９００及び半導体メモリカー８００が正規であるか否かの相互認証を実行する。相互認証が成功すると、半導体メモリカード８００から暗号化されたコンテンツデータが読み出され、半導体プレーヤ９００でこれを復号化して正規の再生が行われる。
【０００５】
以上のように、ダウンロードしたコンテンツデータは、正規のパソコンソフトウェア７０２、半導体メモリカード８００、半導体プレーヤ９００以外では再配布することができないため、不正コピーなどの行為を防止できる。
【０００６】
一方で、近年のデジタル記録技術の発展により、小型で高性能な録画、録音用機器が開発され、デジタルカメラによる高画質撮影やＩＣレコーダによる高音質録音が可能となった。これにより、コンサートや映画の内容等が企画者の許可なく録画、録音され、インターネットなどを通じて流出するという事態が発生し、同様に社会問題化している。
【０００７】
このような事態を防止するための技術として、撮影や録音などの記録を制限する外部からの無線信号を記録装置が受信し、使用者が行う撮影や録音の操作に対して、各種の動作制限を実行する記録装置が提案されている（例えば、特許文献１参照）。動作制限の種類としては、撮影や録音の禁止、フラッシュ発光の禁止、所定画素数以上での撮影の禁止、録音する音声情報の圧縮度や分解能の制限、などである。
【０００８】
【特許文献１】特開２００２−１１２２１４号公報（第３頁、図１）
【発明の開示】
【発明が解決しようとする課題】
【０００９】
上記従来の記録装置では、コンサート会場や映画館等の特定の場所において、撮影や録音などの記録動作を禁止したり制限したりすることは可能であるが、制限の有無に関わらず、記録が許可された状況で生成する映像データや音声データについては、再配布の制限がなく（即ち、コピーが自在に可能）、データの著作権保護が行われないという課題があった。
【００１０】
そこで、本発明は上記事情に鑑みてなされたものであって、不正なコピーを防止し、著作権保護と個人の自由なデータ利用の両方を実現する記録装置を提供することを目的とする。
【課題を解決するための手段】
【００１１】
上記課題を解決するために、本発明の記録装置は、映像や音声等の入力データを符号化して記録媒体に記録する記録手段と、前記記録手段の記録動作を規制する規制信号を受信して規制制御信号を出力する第１の受信手段と、前記記録手段の記録規制動作を解除する規制解除信号を受信して規制解除制御信号を出力する第２の受信手段とを備え、前記記録手段は、前記規制制御信号が活性化され、且つ前記規制解除制御信号が活性化されていない場合、前記入力データを前記記録媒体へ記録せず、前記規制制御信号及び前記規制解除制御信号が活性化されている場合、前記入力データを暗号化してから符号化して前記記録媒体へ記録し、前記規制制御信号が活性化されていない場合、前記入力データを暗号化せずに符号化して前記記録媒体へ記録する。
【００１２】
上記構成によれば、映像や音声等の入力データの記録を、記録装置へ記録しない、暗号化して記録する、暗号化せずに記録する、という３段階のレベルで制限できる。また、記録の規制が行われている状況で規制解除を行う場合、データは暗号化して記録されるので、特定の装置のみで再生可能となり、不正コピーを防止することができる。
【００１３】
本発明において、前記第１の受信手段および前記第２の受信手段を一体化することにより、１つの受信手段で規制信号と規制解除信号の両方の受信を行うため、構成部品数が削減されコストダウンが図れる。
【００１４】
本発明において、前記第１の受信手段は、前記規制信号を無線で受信して前記規制制御信号を出力することにより、規制信号が受信される領域内ではデータの記録が実行されないため、例えば、所定の場所において撮影や録音を制限することができる。
【００１５】
本発明において、前記第２の受信手段は、前記規制解除信号を無線で受信して前記規制解除制御信号を出力することにより、規制解除信号が受信される領域内ではデータを暗号化して記録することが可能となるため、例えば、所定の場所において撮影や録音を許可することができる。
【００１６】
本発明において、前記第２の受信手段は、前記規制解除信号を半導体メモリカードインターフェースを介して受信して前記規制解除制御信号を出力することにより、無線通信状態の良否に影響されることなく、記録が許可された記録装置のみで入力データの記録媒体への記録が確実に実行される。また、同じ記録装置であっても、半導体メモリを装着していない場合は入力データの記録が行えないので、記録可能な記録装置の選別がより精密に行え、高度な記録の規制が行える。
【００１７】
本発明において、前記記録手段は、前記規制解除信号に挿入される暗号化鍵データを用いて前記入力データを暗号化する暗号化処理手段を備えることにより、外部から取得する暗号化鍵データと記録手段固有の暗号化鍵データの両方を用いてデータの暗号化を行うことができ、著作権保護に於いてよりセキュリティの高い記録が行える。
【００１８】
本発明において、前記記録手段は、半導体メモリカードインターフェースを介して受信した暗号化鍵データを用いて前記入力データを暗号化する暗号化処理手段を備えることにより、半導体メモリから取得する暗号化鍵データと記録手段固有の暗号化鍵データの両方を用いてデータの暗号化を行うことができ、著作権保護に於いてよりセキュリティの高い記録が行える。
【発明の効果】
【００１９】
本発明によれば、撮影や録音など、データの記録が制限されている状況において記録が許可された場合、記録データを暗号化して特定の装置のみで再生可能とすることにより、記録データの不正なコピーが防止され、記録データの著作権保護と個人の自由なデータ利用の両方を実現することが可能となる。
【００２０】
また、２つの暗号化鍵データを用いて暗号化処理を行うことができるため、より強固な著作権保護が可能となる。更に、データ記録の許可（即ち、記録の規制解除）を半導体メモリカードから取得することにより、外部からの無線受信状態の良否に関わらず、データの記録が確実に行える。また、記録規制信号と規制解除信号の受信手段の統合や、半導体メモリカードへのデータ記録などにより、構成部品数が削減されコストダウンを図ることができる。
【発明を実施するための最良の形態】
【００２１】
（第１の実施の形態）
図１は本発明の第１の実施の形態における記録装置の構成を示す図である。記録装置１００は、記録の規制信号を受信する受信手段１、記録の規制解除信号を受信する受信手段２、カメラやマイク（図示略）などを介して外部より取得した映像や音声などの入力データを記録媒体に記録する記録手段３を備える。記録手段３は、更に、取得した映像や音声などのアナログデータをデジタルデータに変換するためのＡ／Ｄ変換器３１、デジタルデータを暗号化鍵データを用いて暗号化処理する暗号化処理部３２、データの符号化を行う符号化演算器３３を備える。また、記録装置１００には、記録媒体４が着脱可能に装着される。
【００２２】
受信手段１が受信する信号は、映像や音声の撮影や録音など、データの記録を制限したいコンサート会場等の場所に設置されている外部記録規制信号発信源５１から発信される規制信号である。また、受信手段２が受信する信号は、同様に、撮影や録音などを制限したい場所であって、しかも許可を取得した記録装置のみに記録を実行させたい場所に設置されている外部規制解除信号発信源５２から発信される規制解除信号である。
【００２３】
記録装置１００の受信手段１は、外部記録規制信号発信源５１から発信される規制信号を受信すると、規制制御信号を活性化させて記録手段３へ出力する。一方、規制信号を受信していない時は規制制御信号を活性化させずに記録手段３へ出力する。また、受信手段２は、外部規制解除信号発信源５２から発信される規制解除信号を受信すると規制解除制御信号を活性化させて記録手段３へ出力する。一方、規制解除信号を受信していない時は規制解除制御信号を活性化させずに記録手段３へ出力する。
【００２４】
次に、記録装置１００の記録手段３は、規制制御信号と規制解除制御信号に基づいて、映像や音声等のアナログデータ（入力データ）を以下のように処理する。はじめに、規制制御信号が活性化され、且つ規制解除制御信号が活性化されていない場合、記録手段３は、入力データのＡ／Ｄ変換や暗号化処理、符号化演算を行わない。従って、記録装置１００の操作者が記録操作を行っても、取得した映像や音声などのデータが記録媒体４へ記録されることはない。
【００２５】
次に、規制制御信号が活性化され、且つ規制解除制御信号も活性化されている場合、Ａ／Ｄ変換器３１でＡ／Ｄ変換された入力データは、暗号化処理部３２へ出力される。暗号化処理部３２では、記録装置１００固有の暗号化鍵データに基づいて暗号化処理が行われ、暗号化データが符号化演算器３３へ出力される。そして、符号化演算器３３で符号化されたデータが記録媒体４へ記録される。従って、記録装置１００の操作者が記録操作を行えば、取得した映像や音声などの入力データが暗号化処理を施されて記録媒体４へ記録される。データの復号化には暗号化鍵データが必要で、記録装置１００固有の暗号化鍵データを格納している機器（例えば、記録装置１００）やそれらが取得可能な機器のみでデータの再生が可能で、また記録媒体４からその他の記録媒体へデータをコピーしても再生が行えないため、再生可能な機器が限定され、不正なデータコピーが防止される。
【００２６】
また、受信手段１からの規制制御信号が活性化されていない場合、Ａ／Ｄ変換器３１でＡ／Ｄ変換された入力データは、直接符号化演算器３３へ出力され、符号化演算器３３で符号化されたデータが記録媒体４へ記録される。従って、記録装置１００の操作者が記録操作を行えば、取得した映像や音声などの入力データが暗号化処理を施されることなく記録媒体４に記録される。記録媒体４の読み取りが可能な再生装置であればあらゆる機器でのデータ再生が可能で、また記録媒体４からその他の記録媒体へもデータのコピーが可能となる。
【００２７】
第１の実施の形態における記録装置によれば、撮影や録音したデータの記録に関して、記録媒体への記録禁止、暗号化処理を施す記録、暗号化処理を施さない記録、の３段階のレベルで制限することが可能となる。特に、暗号化処理を施す記録では、特定の装置のみで再生が許可されるので不正コピーが防止され、著作権保護と個人の自由なデータ利用の両立が図れる。
【００２８】
（第２の実施の形態）
図２は、本発明の第２の実施の形態における記録装置の構成を示す図である。第１の実施の形態における記録装置の構成と比較して、受信手段２１が、外部規制解除信号発信源５２から規制解除信号に挿入されて発信される暗号化鍵信号を受信し、暗号化鍵データを記録手段３へ出力する、という点が異なる。
【００２９】
記録装置２００の受信手段２１は、外部規制解除信号発信源５２から発信される規制解除信号を受信すると、規制解除制御信号を活性化させて記録手段３へ出力する。一方、規制解除信号を受信していない時は規制解除制御信号を活性化させずに記録手段３へ出力する。また、受信手段２１は、外部規制解除信号発信源５２から発信される暗号化鍵信号を受信すると、暗号化鍵データを記録手段３へ出力する。
【００３０】
次に、記録装置２００の記録手段３は、規制制御信号と規制解除制御信号に基づいて、映像や音声等のアナログデータ（入力データ）を以下のように処理する。はじめに、規制制御信号が活性化され、且つ規制解除制御信号が活性化されていない場合、記録手段３は、入力データのＡ／Ｄ変換や暗号化処理、符号化を行わない。従って、記録装置２００の操作者が記録操作を行っても、取得した映像や音声などのデータが記録媒体４へ記録されることはない。
【００３１】
次に、規制制御信号が活性化され、且つ規制解除制御信号も活性化されている場合、Ａ／Ｄ変換器３１でＡ／Ｄ変換された入力データは、暗号化処理部３２へ出力される。暗号化処理部３２では、外部規制解除信号発信源５２から発信されて受信手段２１から出力された暗号化鍵データと記録装置２００固有の暗号化鍵データに基づいて暗号化処理が行われ、暗号化データが符号化演算器３３へ出力される。そして、符号化演算器３３で符号化されたデータが記録媒体４へ記録される。従って、記録装置２００の操作者が記録操作を行えば、取得した映像や音声などの入力データが暗号化処理を施されて記録媒体４へ記録される。データの復号化には暗号化鍵データが必要で、外部規制解除信号発信源５２から発信された暗号化鍵データ及び記録装置２００固有の暗号化鍵データの両方を格納している機器（例えば、記録装置２００）やそれらが取得可能な機器のみでデータの再生が可能で、また記録媒体４からその他の記録媒体へデータをコピーしても再生が行えないため、再生可能な機器が限定され、不正なデータコピーが防止される。
【００３２】
また、受信手段１からの規制制御信号が活性化されていない場合、Ａ／Ｄ変換器３１でＡ／Ｄ変換された入力データは、直接符号化演算器３３へ出力され、符号化演算器３３で符号化されたデータが記録媒体４へ記録される。従って、記録装置２００の操作者が記録操作を行えば、取得した映像や音声などの入力データが暗号化処理を施されることなく記録媒体４に記録される。記録媒体４の読み取りが可能な再生装置であればあらゆる機器でのデータ再生が可能で、また記録媒体４からその他の記録媒体へもデータのコピーが可能となる。
【００３３】
第２の実施の形態における記録装置によれば、第１の実施の形態の記録装置と同様、３段階のレベルで記録の制御を行うことが可能で、著作権保護と個人の自由なデータ利用の両立が図れる。しかも、暗号化処理を施す記録では、外部から取得した暗号化鍵データと記録装置固有の暗号化鍵データの両方を用いて暗号化を行うため、著作権保護に於いてよりセキュリティの高い記録が行える。
【００３４】
（第３の実施の形態）
図３は本発明の第３の実施の形態における記録装置の構成を示す図である。第１の実施の形態における記録装置の構成と比較して、受信手段２２が、記録装置３００に装着された半導体メモリカード６に格納された規制解除データを取得し、規制解除制御信号を記録手段３へ出力する、という点が異なる。
【００３５】
記録装置３００の受信手段２２は、装着された半導体メモリ６から規制解除データを取得すると規制解除制御信号を活性化させて記録手段３へ出力する。一方、規制解除データを取得しない時は規制解除制御信号を活性化させずに記録手段３へ出力する。
【００３６】
次に、記録装置３００の記録手段３は、規制制御信号と規制解除制御信号に基づいて、映像や音声等のアナログデータ（入力データ）を以下のように処理する。はじめに、規制制御信号が活性化され、且つ規制解除制御信号が活性化されていない場合、記録手段３は、入力データのＡ／Ｄ変換や暗号化処理、符号化を行わない。従って、記録装置３００の操作者が記録操作を行っても、取得した映像や音声などのデータが記録媒体４へ記録されることはない。
【００３７】
次に、規制制御信号が活性化され、且つ規制解除制御信号も活性化されている場合、Ａ／Ｄ変換器３１でＡ／Ｄ変換された入力データは、暗号化処理部３２へ出力される。暗号化処理部３２では、記録装置３００固有の暗号化鍵データに基づいて暗号化処理が行われ、暗号化データが符号化演算器３３へ出力される。そして、符号化演算器３３で符号化されたデータが記録媒体４へ記録される。従って、記録装置３００の操作者が記録操作を行えば、取得した映像や音声などの入力データが暗号化処理を施されて記録媒体４へ記録される。データの復号化には暗号化鍵データが必要で、記録装置３００固有の暗号化鍵データを格納している機器（例えば、記録装置３００）やそれらが取得可能な機器のみでデータの再生が可能で、また記録媒体４からその他の記録媒体へデータをコピーしても再生が行えないため、再生可能な機器が限定され、不正なデータコピーが防止される。
【００３８】
また、受信手段１からの規制制御信号が活性化されていない場合、Ａ／Ｄ変換器３１でＡ／Ｄ変換された入力データは、直接符号化演算器３３へ出力され、符号化演算器３３で符号化されたデータが記録媒体４へ記録される。従って、記録装置３００の操作者が記録操作を行えば、取得した映像や音声などの入力データが暗号化処理を施されることなく記録媒体４に記録される。記録媒体４の読み取りが可能な再生装置であればあらゆる機器でのデータ再生が可能で、また記録媒体４からその他の記録媒体へもデータのコピーが可能となる。
【００３９】
第３の実施の形態における記録装置によれば、第１の実施の形態または２の記録装置と同様、３段階のレベルで記録の制御を行うことが可能で、著作権保護と個人の自由なデータ利用の両立が図れる。しかも、規制解除信号が無線ではなく、半導体メモリに格納された規制解除データに基づいて生成されるため、無線通信状態の良否に影響されることなく、記録が許可された記録装置（即ち、半導体メモリを装着した記録装置）のみで入力データの記録媒体への記録が確実に実行される。また、第３の実施の形態の記録装置では、同じ記録装置であっても、半導体メモリを装着していない場合は入力データを記録媒体へ記録することができない。そのため、例えば、コンサート会場などにおいてこの半導体メモリを有償で配布することなどにより、データの記録可能な記録装置の選別がより精密に行え、高度な記録の規制が行える。
【００４０】
（第４の実施の形態）
図４は本発明の第４の実施の形態における記録装置の構成を示す図である。第３の実施の形態における記録装置の構成と比較して、受信手段２３が、記録装置４００に装着された半導体メモリカード６に格納された規制解除データに加え、暗号化鍵データを取得し、規制解除制御信号と暗号化鍵データを記録手段３へ出力する、という点が異なる。
【００４１】
記録装置４００の受信手段２３は、装着された半導体メモリ６から規制解除データを取得すると規制解除制御信号を活性化させて記録手段３へ出力する。一方、規制解除データを取得しない時は規制解除制御信号を活性化させずに記録手段３へ出力する。また、受信手段２３は、半導体メモリ６から暗号化鍵データを取得すると、暗号化鍵データを記録手段３へ出力する。
【００４２】
次に、記録装置４００の記録手段３は、規制制御信号と規制解除制御信号に基づいて、映像や音声等のアナログデータ（入力データ）を以下のように処理する。はじめに、規制制御信号が活性化され、且つ規制解除制御信号が活性化されていない場合、記録手段３は、入力データのＡ／Ｄ変換や暗号化処理、符号化を行わない。従って、記録装置４００の操作者が記録操作を行っても、取得した映像や音声などのデータが記録媒体４へ記録されることはない。
【００４３】
次に、規制制御信号が活性化され、且つ規制解除制御信号も活性化されている場合、Ａ／Ｄ変換器３１でＡ／Ｄ変換された入力データは、暗号化処理部３２へ出力される。暗号化処理部３２では、半導体メモリカード６から取得して受信手段２３から出力された暗号化鍵データと記録装置４００固有の暗号化鍵データに基づいて暗号化処理が行われ、暗号化データが符号化演算器３３へ出力される。そして、符号化演算器３３で符号化されたデータが記録媒体４へ記録される。従って、記録装置４００の操作者が記録操作を行えば、取得した映像や音声などの入力データが暗号化処理を施されて記録媒体４へ記録される。データの復号化には暗号化データが必要で、半導体メモリカード６から取得した暗号化鍵データ及び記録装置４００固有の暗号化鍵データの両方を格納している機器（例えば、記録装置４００）やそれらが取得可能な機器のみでデータの再生が可能で、また記録媒体４からその他の記録媒体へデータをコピーしても再生が行えないため、再生可能な機器が限定され、不正なデータコピーが防止される。
【００４４】
また、受信手段１からの規制制御信号が活性化されていない場合、Ａ／Ｄ変換器３１でＡ／Ｄ変換された入力データは、直接符号化演算器３３へ出力され、符号化演算器３３で符号化されたデータが記録媒体４へ記録される。従って、記録装置４００の操作者が記録操作を行えば、取得した映像や音声などの入力データが暗号化処理を施されることなく記録媒体４に記録される。記録媒体４の読み取りが可能な再生装置であればあらゆる機器でのデータ再生が可能で、また記録媒体４からその他の記録媒体へもデータのコピーが可能となる。
【００４５】
第４の実施の形態における記録装置によれば、第３の実施の形態の記録装置と同様、無線通信状態の良否に影響されることなく、記録が許可された記録装置（即ち、半導体メモリを装着した記録装置）のみで入力データの記録媒体への記録が実行されるので、記録可能な記録装置の選別が可能となり、より精密な記録の規制が行える。しかも、暗号化処理を施す記録では、半導体メモリから取得する暗号化鍵データと記録装置固有の暗号化鍵データの両方を用いて暗号化を行うため、著作権保護に於いてよりセキュリティの高い記録が行える。
【００４６】
（第５の実施の形態）
図５は本発明の第５の実施の形態における記録装置の構成を示す図である。第１の実施の形態における記録装置の構成と比較して、記録装置１００における受信手段１と受信手段２の機能を統合した受信手段７において規制信号と規制解除信号の受信を行う、という点が異なる。
【００４７】
記録装置５００の受信手段７は、外部記録規制信号発信源５１から発信される規制信号を受信すると、規制制御信号を活性化させて記録手段３へ出力する。一方、規制信号を受信していない時は規制制御信号を活性化させずに記録手段３へ出力する。また、同じ受信手段７は、外部規制解除信号発信源５２から発信される規制解除信号を受信すると規制解除制御信号を活性化させて記録手段３へ出力する。一方、規制解除信号を受信していない時は規制解除制御信号を活性化させずに記録手段３へ出力する。
【００４８】
尚、規制制御信号と規制解除制御信号に基づいて、記録装置５００の記録手段３が行う映像や音声等のアナログデータの処理は、第１の実施の形態と同じであるので説明を省略する。
【００４９】
第５の実施の形態における記録装置によれば、第１の実施の形態の記録装置と同様、３段階のレベルで記録の制御を行うことが可能で、著作権保護と個人の自由なデータ利用の両立が図れる。しかも、１つの受信手段で規制信号と規制解除信号の両方の受信を行うため、構成部品数を削減してコストダウンが図れる。
【００５０】
（第６の実施の形態）
図６は本発明の第６の実施の形態における記録装置の構成を示す図である。第２の実施の形態における記録装置の構成と比較して、記録装置２００における受信手段１と受信手段２１の機能を統合した受信手段７１において規制信号と規制解除信号の受信を行い、更に、受信手段７１が、外部規制解除信号発信源５２から規制解除信号に挿入されて発信される暗号化鍵信号を受信し、暗号化鍵データを記録手段３へ出力する、という点が異なる。
【００５１】
記録装置６００の受信手段７１は、外部記録規制信号発信源５１から発信される規制信号を受信すると、規制制御信号を活性化させて記録手段３へ出力する。一方、規制信号を受信していない時は規制制御信号を活性化させずに記録手段３へ出力する。また、同じ受信手段７１は、外部規制解除信号発信源５２から発信される規制解除信号を受信すると規制解除制御信号を活性化させて記録手段３へ出力する。一方、規制解除信号を受信していない時は規制解除制御信号を活性化させずに記録手段３へ出力する。更に、受信手段７１は、外部規制解除信号発信源５２から発信される暗号化鍵信号を受信すると、暗号化鍵データを記録手段３へ出力する。
【００５２】
尚、規制制御信号と規制解除制御信号に基づいて、記録装置６００の記録手段３が行う映像や音声等のアナログデータの処理は、第２の実施の形態のそれと同じであるので説明を省略する。
【００５３】
第６の実施の形態における記録装置によれば、第５の実施の形態の記録装置と同様、１つの受信手段で規制信号と規制解除信号の両方の受信を行うため、構成部品数が削減されコストダウンが図れる。しかも、暗号化処理を施す記録では、外部から発信される暗号化鍵データと記録装置固有の暗号化鍵データの両方が用いられるため、著作権保護に於いてよりセキュリティの高い記録が行える。
【産業上の利用可能性】
【００５４】
本発明の記録装置は、撮影や録音など、データの記録が制限されている状況において記録が許可された場合、記録データを暗号化して特定の装置のみで再生可能とすることにより、記録データの不正なコピーが防止され、記録データの著作権保護と個人の自由なデータ利用の両方を実現することが可能となる効果を有し、著作権保護機能を有する記録装置等として有用である。
【図面の簡単な説明】
【００５５】
【図１】本発明の第１の実施の形態における記録装置の構成を示す図である。
【図２】本発明の第２の実施の形態における記録装置の構成を示す図である。
【図３】本発明の第３の実施の形態における記録装置の構成を示す図である。
【図４】本発明の第４の実施の形態における記録装置の構成を示す図である。
【図５】本発明の第５の実施の形態における記録装置の構成を示す図である。
【図６】本発明の第６の実施の形態における記録装置の構成を示す図である。
【図７】インターネットを介してパソコンにダウンロードしたコンテンツデータを記録媒体へ記録する従来の記録動作例を示す図である。
【符号の説明】
【００５６】
１  受信手段（規制信号を受信）
２  受信手段（規制解除信号を受信）
３  記録手段
４  記録媒体
６  半導体メモリカード
７  受信手段（規制信号及び規制解除信号を受信）
２１、２２、２３（規制解除信号または規制解除データを受信）  
３１  Ａ／Ｄ変換器
３２  暗号化処理部
３３  符号化演算部
５１  外部記録規制信号発信源
５２  外部規制解除信号発信源
７１  受信手段（規制信号及び規制解除信号を受信）
【図１】
2005094196.tif 000003
【図２】
2005094196.tif 000004
【図３】
2005094196.tif 000005
【図４】
2005094196.tif 000006
【図５】
2005094196.tif 000007
【図６】
2005094196.tif 000008
【図７】
2005094196.tif 000009